(57)【要約】【課題】転写操作に熟練を要さず、スムーズに転写作業をおこなうことのできる転写印刷シートを提供する。【解決手段】  転写印刷シート１は、離型性を有する剥離シート３の離型性保有面３ａと、粘着性を有する保護シート５の粘着性保有面５ａとの間に、印刷層１７を挟持した構成を備えている。印刷層１７は印刷により形成された層であり、転写パターン印刷領域２１と、非転写パターン印刷領域２３とを備えている。転写パターン印刷領域２１は、剥離シート３の離型性保有面３ａ上にこの順に積み上げるように形成された接着剤印刷層７，第１のインク印刷層１１を備えている。非転写パターン印刷領域２３は、第２のインク印刷層１５を備えている。第２のインク印刷層１５は、転写パターン印刷領域２１を囲むように剥離シート３の離型性保有面３ａ上にインクを印刷することにより形成される。【選択図】図１
2009028943.tif 000002
【特許請求の範囲】
【請求項１】
離型性を有する剥離シートの離型性保有面と、粘着性を有する保護シートの粘着性保有面との間に、印刷により形成された印刷層を挟持した転写印刷シートであって、
前記印刷層は、
前記剥離シートの離型性保有面上に形成された接着材による所定パターンの接着剤印刷層と、前記接着剤印刷層上に前記所定パターンと実質的に同一のパターンにてインクにより形成された第１のインク印刷層と、を備えた転写パターン印刷領域と、
前記転写パターン印刷領域を囲むように前記剥離シートの離型性保有面上にインクにより形成された第２のインク印刷層、を備えた非転写パターン印刷領域と、
を備えた転写印刷シート。
【請求項２】
請求項１の転写印刷シートにおいて、
前記剥離シートの離型性保有面と前記保護シートの粘着性保有面との間であって、前記転写パターン印刷領域と前記非転写パターン印刷領域との間に、何も印刷を行わない印刷分離用領域を設けたこと、
を特徴とするもの。
【請求項３】
請求項１ないし２のいずれかの転写印刷シートにおいて、
前記剥離シートの離型性保有面と前記保護シートの粘着性保有面との間であって、当該転写印刷シートの外周近傍に、何も印刷を行わないシート剥離防止用粘着領域を設けたこと、
を特徴とするもの。
【請求項４】
請求項１ないし３のいずれかの転写印刷シートにおいて、
前記非転写パターン印刷領域内に、被写体に対する前記所定パターンの位置決めの目安となる位置決めマークを設けたこと、
を特徴とするもの。
【請求項５】
請求項４の転写印刷シートにおいて、
前記位置決めマークは、前記非転写パターン印刷領域内において、さらにインクによる印刷を行うことにより形成したものであり、
前記位置決めマークの近傍に、何も印刷を行わない仮止め用粘着領域をさらに設けたこと、
を特徴とするもの。
【請求項６】
請求項４の転写印刷シートにおいて、
前記位置決めマークは、前記非転写パターン印刷領域内において、何も印刷を行わないことにより形成したこと、
を特徴とするもの。
【発明の詳細な説明】
【技術分野】
【０００１】
この発明は転写印刷シートに関し、とくに感圧転写式の転写印刷シートに関する。
【背景技術】
【０００２】
転写印刷シートとして、図９Ａおよび図９Ｂに示す構成の感圧転写式の転写印刷シート９１が知られている（たとえば、特許文献１参照）。この転写印刷シート９１は、離型性を有する剥離シートＡ上に粘着材による所定パターンの印刷層（接着剤印刷層）Ｂを設け、ついで接着剤印刷層Ｂ上に接着剤印刷層Ｂと実質的に同一パターンのインクによる印刷層（インク印刷層）Ｃを設け、さらに、インク印刷層Ｃの上から該パターンよりも広い面積を覆う剥離可能な保護シートＤを設けたものである。
【０００３】
このような構成の転写印刷シートの転写操作は、（１）まず剥離シートＡを静かに剥ぎ取ってから（２）接着剤印刷層Ｂを被写体（図示せず）に貼着して圧着し、（３）ついで保護シートＤをはぎとるだけでよい。したがって、被写体に直刷りしたのと同様のパターンをワンタッチで転写印刷することができる。
【０００４】
しかしながら、従来の転写印刷シート９１には、次のような問題点があった。すなわち、転写印刷シート９１に用いる保護シートＤは、その大きさ（平面寸法）が剥離シートＡと略同一であり、その裏面（インク印刷層Ｃに対向している面）は全面に接着剤がコーティングされているのが通常である。
【０００５】
このような転写印刷シート９１は、図９Ｂに示すように、保護シートＤと剥離シートＡとが粘着された状態で出荷される。このため、ユーザーがこの転写印刷シート９１の転写操作を行う際、まず（１）剥離シートＡを剥ぎ取るが、この剥離シートＡと保護シートＤとの剥離が困難であり、作業に時間がかかる。
【０００６】
つぎに（２）接着剤印刷層Ｂを被写体に貼着して圧着するが、このときには保護シートＤの裏面の接着剤が露出しているため、被写体に対する接着剤印刷層Ｂの位置決め作業の途中で、保護シートＤの裏面が被写体にくっついてしまい、スムーズな位置決め作業を行うことが困難になる。
【０００７】
ついで（３）保護シートＤをはぎとるが、上記（２）の作業において誤って接着剤印刷層Ｂ以外の部分も圧着してしまった場合には、被写体から保護シートＤをはぎとる作業に時間がかかる。
【０００８】
すなわち、従来の転写印刷シート９１には、転写操作に熟練を要し、転写作業に時間がかかるという問題があった。
【特許文献１】特開昭６１−１３２３９９号公報
【発明の開示】
【発明が解決しようとする課題】
【０００９】
この発明は、このような従来の転写印刷シートの問題点を解決し、被写体に直刷りしたのと同様のパターンをワンタッチで転写印刷することができ、かつ、転写操作に熟練を要さず、スムーズに転写作業をおこなうことのできる転写印刷シートを提供することを目的とする。
【課題を解決するための手段】
【００１０】
この発明による転写印刷シートは、離型性を有する剥離シートの離型性保有面と、粘着性を有する保護シートの粘着性保有面との間に、印刷により形成された印刷層を挟持した転写印刷シートであって、印刷層は、剥離シートの離型性保有面上に形成された接着材による所定パターンの接着剤印刷層と、接着剤印刷層上に前記所定パターンと実質的に同一のパターンにてインクにより形成された第１のインク印刷層と、を備えた転写パターン印刷領域と、転写パターン印刷領域を囲むように剥離シートの離型性保有面上にインクにより形成された第２のインク印刷層、を備えた非転写パターン印刷領域と、を備えている。
【００１１】
本発明の特徴は、上記のように広く示すことができるが、その構成や内容は、目的および特徴とともに、図面を考慮に入れた上で、以下の開示によりさらに明らかになるであろう。
【発明の効果】
【００１２】
本願第１発明による転写印刷シートは、離型性を有する剥離シートの離型性保有面と、粘着性を有する保護シートの粘着性保有面との間に、印刷により形成された印刷層を挟持した転写印刷シートである。印刷層は、転写パターン印刷領域と、非転写パターン印刷領域とを備えている。転写パターン印刷領域は、剥離シートの離型性保有面上に形成された接着材による所定パターンの接着剤印刷層と、接着剤印刷層上に前記所定パターンと実質的に同一のパターン（転写パターン）にてインクにより形成された第１のインク印刷層と、を備えている。非転写パターン印刷領域は、転写パターン印刷領域を囲むように剥離シートの離型性保有面上にインクにより形成された第２のインク印刷層、を備えている。
【００１３】
したがって、非転写パターン印刷領域においては、第２のインク印刷層が保護シートの粘着性保有面側に付着して、保護シートの粘着力はほとんど失われた状態となっている。このため、保護シートの粘着性保有面と剥離シートの離型性保有面とが直接粘着状態にある従来の転写印刷シートに比し、ユーザーによる剥離シートの剥ぎ取りが容易である。
【００１４】
また、上述のように非転写パターン印刷領域における保護シートの粘着力はほとんど失われた状態となっているから、被写体に対する転写パターンの位置決めをする際、保護シートが被写体にくっついてスムーズな位置決め作業を行うことが困難になるといった不具合もない。
【００１５】
さらに、非転写パターン印刷領域における保護シートの粘着力はほとんど失われた状態となっているから、被写体に転写パターン印刷領域（転写パターン部分）を貼着して圧着する際に誤って転写パターン部分以外の部分（非転写パターン部分）も押圧してしまった場合であっても、被写体と保護シートとが粘着してしまうことはない。
【００１６】
すなわち、被写体に直刷りしたのと同様のパターンをワンタッチで転写印刷することができ、かつ、転写操作に熟練を要さず、スムーズに転写作業をおこなうことのできる転写印刷シートを実現することができる。
【００１７】
本願第２発明による転写印刷シートは、さらに、剥離シートの離型性保有面と保護シートの粘着性保有面との間であって、転写パターン印刷領域と非転写パターン印刷領域との間に、何も印刷を行わない印刷分離用領域を設けたこと、を特徴とする。
【００１８】
したがって、転写パターン印刷領域を構成する接着剤印刷層または第１のインク印刷層と、非転写パターン印刷領域を構成する第２のインク印刷層とが接触して結合状態となるのを回避することができる。このため、被写体に転写パターン部分を転写する際に、転写パターン部分とともに非転写パターン部分の一部が転写したり、逆に転写パターン部分の一部が欠けた状態で転写したりするのを防止することができる。
【００１９】
本願第３発明による転写印刷シートは、さらに、剥離シートの離型性保有面と保護シートの粘着性保有面との間であって、当該転写印刷シートの外周近傍に、何も印刷を行わないシート剥離防止用粘着領域を設けたこと、を特徴とする。
【００２０】
したがって、シート剥離防止用粘着領域においては、剥離シートの離型性保有面と保護シートの粘着性保有面とが直接接触して粘着状態にある。このため、より大きな転写印刷シートを裁断して当該転写印刷シートを得るような場合、裁断部に対応する当該転写印刷シートの外周近傍において剥離シートと保護シートとを粘着状態にしておくことで、剥離シートと保護シートとを一体的に裁断することができる。これにより、裁断による剥離シートと保護シートとのずれ等が防止でき、きれいな裁断部が得られる。
【００２１】
また、当該転写印刷シートの外周近傍において剥離シートと保護シートとを粘着状態にしておくことで、当該転写印刷シートの搬送中など転写操作前に不用意に剥離シートが剥がれてしまうのを防止することができる。
【００２２】
本願第４発明による転写印刷シートは、さらに、非転写パターン印刷領域内に、被写体に対する所定パターンの位置決めの目安となる位置決めマークを設けたこと、を特徴とする。
【００２３】
したがって、被写体に対する所定パターン（転写パターン）の位置決めをする際、位置決めマークを目安とすることができる。このため、保護シートが被写体にくっつかないことと相まって、たとえば、被写体と保護シートとを接触させながら位置決めマークを目安とすることで、容易に位置決めすることができる。
【００２４】
本願第５発明による転写印刷シートにおいては、さらに、位置決めマークは、非転写パターン印刷領域内において、さらにインクによる印刷を行うことにより形成したものであり、位置決めマークの近傍に、何も印刷を行わない仮止め用粘着領域をさらに設けたこと、を特徴とする。
【００２５】
したがって、仮止め用粘着領域においては、保護シートの粘着性保有面の粘着力は失われていない。このため、たとえば、位置決めマークを目安として被写体に対する転写パターンの位置決めを行い、位置が決まったら仮止め用粘着領域において保護シートを被写体に向けて押圧することで、被写体に対して保護シートを仮止めすることができる。このように仮止めすることで、より正確に転写パターンの位置決めを行うことができる。
【００２６】
本願第６発明による転写印刷シートにおいては、さらに、位置決めマークは、非転写パターン印刷領域内において、何も印刷を行わないことにより形成したこと、を特徴とする。
【００２７】
したがって、位置決めマークのある部分においては、保護シートの粘着性保有面の粘着力は失われていない。このため、たとえば、位置決めマークを目安として被写体に対する転写パターンの位置決めを行い、位置が決まったら位置決めマークのある部分において保護シートを被写体に向けて押圧することで、被写体に対して保護シートを仮止めすることができる。このように仮止めすることで、より正確に転写パターンの位置決めを行うことができる。
【発明を実施するための最良の形態】
【００２８】
図１Ａは、この発明の一実施形態による転写印刷シート１の平面構成を模式的に示す図面である。図１Ｂは、転写印刷シート１の断面ＩＢ−ＩＢを模式的に示す図面である。
【００２９】
図１Ｂに示すように、転写印刷シート１は、離型性を有する剥離シート３の離型性保有面３ａと、粘着性を有する保護シート５の粘着性保有面５ａとの間に、印刷層１７を挟持した構成を備えている。
【００３０】
剥離シート（「基材」とも呼ばれる）３の寸法、材質はとくに限定されるものではないが、たとえば、厚さ１２５μｍ程度のポリエステル樹脂フィルムやポリプロピレン樹脂フィルムなどを用いることができる。剥離シート３の表面に離型性を持たせる手段はとくに限定されるものではないが、たとえば、剥離シート３の表面にシリコン薄膜（たとえば厚さ１μｍ程度）を塗布することにより形成することができる。
【００３１】
保護シート（「アプリケーションフィルム」とも呼ばれる）５の寸法、材質はとくに限定されるものではないが、たとえば、厚さ５０〜１８０μｍ程度の塩化ビニル樹脂フィルム、ポリエチレンテレフタレート樹脂フィルム、ポリエステル樹脂フィルム、ポリプロピレン樹脂フィルムなどを用いることができる。
【００３２】
保護シート５の色はとくに限定されるものではないが、転写操作の際、後述の転写パターン印刷領域２１と被写体３１（図２Ｂ参照）との位置関係が保護シート５を透過して視認できるように、好ましくは無色透明または半透明、有色透明または半透明であり、より好ましくは無色透明または有色透明である。
【００３３】
保護シート５の表面に粘着性を持たせる手段はとくに限定されるものではないが、たとえば、保護シート５の表面にアクリル系の粘着剤（たとえば厚さ１０μｍ程度）を塗布することにより形成することができる。
【００３４】
印刷層１７は印刷により形成された層であり、転写パターン印刷領域２１と、非転写パターン印刷領域２３とを備えている。
【００３５】
転写パターン印刷領域２１は、剥離シート３の離型性保有面３ａ上にこの順に積み上げるように形成された接着剤印刷層７，第１のインク印刷層１１を備えている。
【００３６】
接着剤印刷層７は、剥離シート３の離型性保有面３ａ上に接着材を所定パターンに印刷することにより得られる。接着剤印刷層７の寸法、材質はとくに限定されるものではないが、たとえば、厚さ１０〜２０μｍ程度のアクリル系粘着剤により構成することができる。
【００３７】
第１のインク印刷層１１は、接着剤印刷層７上に、接着剤印刷層７の印刷パターンと実質的に同一のパターンにインクを印刷することにより形成される。第１のインク印刷層１１の寸法、材質はとくに限定されるものではないが、たとえば、厚さ１０μｍ程度のアクリル系インクを１層（単色刷）または多層（多色刷り）にわたり印刷することにより得られる。
【００３８】
非転写パターン印刷領域２３は、第２のインク印刷層１５を備えている。第２のインク印刷層１５は、転写パターン印刷領域２１を囲むように剥離シート３の離型性保有面３ａ上にインクを印刷することにより形成される。つまり、第２のインク印刷層１５は、剥離シート３の離型性保有面３ａのうち、転写パターン印刷領域２１を除く略全域（この実施形態においては、厳密には転写パターン印刷領域２１および後述の印刷分離用領域２５を除く領域）に形成されている。第２のインク印刷層１５の形成工程の順序はとくに限定されるものではないが、第１のインク印刷層１１の形成工程と同時に行うと、工数の増加を抑えることができるので、好ましい。
【００３９】
第２のインク印刷層１５の材質はとくに限定されるものではないが、たとえば、アクリル系インクを１層（単色刷）または多層（多色刷り）にわたり印刷することにより得られる。第２のインク印刷層１５の一色あたりのインクの厚さはとくに限定されるものではないが、好ましくは３〜２０μｍ程度、より好ましくは５〜１５μｍ程度である。
【００４０】
第２のインク印刷層１５のインクの色はとくに限定されるものではなく、たとえば、無色透明または半透明のもの、有色透明または半透明のもの、不透明のもの、等を用いることができる。ただし、転写操作の際、転写パターン印刷領域２１と被写体３１（図２Ｂ参照）との位置関係が保護シート５に付着した第２のインク印刷層１５を透過して視認できるよう、第２のインク印刷層１５のインクの色は、好ましくは無色透明または半透明、有色透明または半透明であり、より好ましくは無色透明または有色透明である。
【００４１】
転写印刷シート１は、さらに、印刷分離用領域２５を備えている（もちろん、転写印刷シート１において、印刷分離用領域２５を設けないよう構成することも可能である）。印刷分離用領域２５は、剥離シート３の離型性保有面３ａと保護シート５の粘着性保有面５ａとの間であって、転写パターン印刷領域２１と非転写パターン印刷領域２３との間に設けられ、この領域には何も印刷されない。
【００４２】
すなわち、印刷分離用領域２５においては、転写パターン印刷領域２１を構成する接着剤印刷層７，第１のインク印刷層１１、および、非転写パターン印刷領域２３を構成する第２のインク印刷層１５、その他の印刷による層がいずれも形成されておらず、剥離シート３の離型性保有面３ａと保護シート５の粘着性保有面５ａとが直接または空間を介して接している。
【００４３】
印刷分離用領域２５を設けることにより、転写パターン印刷領域２１を構成する接着剤印刷層７，第１のインク印刷層１１のいずれかと、非転写パターン印刷領域２３を構成する第２のインク印刷層１５とが接触・結合するのを防止することができる。
【００４４】
この結果、被写体３１（図２Ｂ参照）に転写パターン印刷領域２１（転写パターン部分）を転写する際に、転写パターン部分とともに非転写パターン印刷領域２３（非転写パターン部分）の一部が被写体３１に転写したり、逆に転写パターン部分の一部が欠けた状態で被写体３１に転写したりするのを防止することができる。
【００４５】
印刷分離用領域２５の幅はとくに限定されるものではないが、好ましくは０．２ｍｍ〜１０ｍｍ、より好ましくは０．３ｍｍ〜５ｍｍ、さらに好ましくは０．５ｍｍ〜３ｍｍである。印刷分離用領域２５の幅が狭すぎると、高い印刷精度が必要となり歩留まりの低下やコスト上昇を招く一方、印刷分離用領域２５の幅が広すぎると、被写体３１に対する転写パターン部分の位置決めをする際、保護シート５が被写体３１にくっついてスムーズな位置決め作業を行うことが困難になるからである。
【００４６】
なお、印刷分離用領域２５の幅の上限は、転写印刷シート１における非転写部最大距離Ｓ（転写印刷シート１の各辺から転写パターン印刷領域２１の外周までの距離の最大値：図１Ａ参照）を用いて、以下のように表すこともできる。すなわち、印刷分離用領域２５の幅はとくに限定されるものではないが、好ましくは０．２ｍｍ〜非転写部最大距離Ｓの５０パーセント、より好ましくは０．３ｍｍ〜非転写部最大距離Ｓの２５パーセント、さらに好ましくは０．５ｍｍ〜非転写部最大距離Ｓの１０パーセントである。
【００４７】
このようにして、形成された転写印刷シート１においては、転写操作を容易にするため、各部材間の密着強度は次のように設定するのが好ましい。
【００４８】
すなわち、接着剤印刷層７と剥離シート３の離型性保有面３ａとの密着強度をＦ（７−３）、保護シート５の粘着性保有面５ａと第１のインク印刷層１１との密着強度をＦ（５−１１）、接着剤印刷層７と被写体３１表面との密着強度をＦ（７−３１）、転写パターン印刷領域２１を構成する接着剤印刷層７，第１のインク印刷層１１の相互密着強度をＦ（２１）、第２のインク印刷層１５と剥離シート３の離型性保有面３ａとの密着強度をＦ（１５−３）、保護シート５の粘着性保有面５ａと第２のインク印刷層１５との密着強度をＦ（５−１５）、第２のインク印刷層１５と被写体３１表面との密着強度をＦ（１５−３１）としたとき、以下の不等式がすべて成立するように設定するのが好ましい。
Ｆ（７−３１）>Ｆ（５−１１）>Ｆ（７−３）
Ｆ（２１）>Ｆ（５−１１）
Ｆ（５−１５）>Ｆ（１５−３）
Ｆ（５−１５）>Ｆ（１５−３１）
【００４９】
つぎに、図１Ａ〜図３Ｂを用いて、転写印刷シート１の転写操作について説明する。図２Ａ、図２Ｂ，図３Ｂは、転写印刷シート１の転写操作を説明するための模式的な断面図、図３Ａは、図３Ｂに対応する模式的な平面図である。
【００５０】
（１）まず、図１Ｂに示す状態から剥離シート３を剥ぎ取る。このとき、上述のように、密着強度の関係がＦ（５−１１）>Ｆ（７−３）、Ｆ（２１）>Ｆ（５−１１）であるから、転写パターン印刷領域２１を構成する接着剤印刷層７，第１のインク印刷層１１は、まとめて保護シート５の粘着性保有面５ａに付着したままである。また、Ｆ（５−１５）>Ｆ（１５−３）であるから、第２のインク印刷層１５は、保護シート５の粘着性保有面５ａに付着したままである。
【００５１】
また、密着強度Ｆ（７−３）と同様に密着強度Ｆ（１５−３）も、剥離シート３が自然に剥がれない最小限の密着強度に設定すればよいから、剥離シート３の剥ぎ取りが容易である。
【００５２】
剥離シート３を剥ぎ取ったあと、転写印刷シート１は図２Ａに示す状態となる。この状態において、非転写パターン印刷領域２３に存する保護シート５の粘着性保有面５ａには第２のインク印刷層１５が付着しており、保護シート５の粘着性は失われている。
【００５３】
（２）つぎに、被写体３１に対する転写パターン印刷領域２１の位置決めを行い、位置が決定したら、保護シート５の上から転写パターン印刷領域２１を被写体３１に向かって押圧することで、転写パターン印刷領域２１の接着剤印刷層７を被写体３１に圧着する。この状態を図２Ｂに示す。
【００５４】
被写体３１に対する転写パターン印刷領域２１の位置決めを行う際、第２のインク印刷層１５のインクおよび保護シート５を透明（もしくは半透明）にしておくと、第２のインク印刷層１５および保護シート５を透過して被写体３１が視認できるので好都合である。また、このとき、上述のように、非転写パターン印刷領域２３に存する保護シート５の粘着性は失われているから、保護シート５が被写体３１にくっついてスムーズな位置決め作業を行うことが困難になるといった不具合もない。
【００５５】
（３）つぎに、図２Ｂの状態から保護シート５をはぎとる。このとき、上述のように、密着強度の関係がＦ（７−３１）>Ｆ（５−１１）、Ｆ（２１）>Ｆ（５−１１）であるから、転写パターン印刷領域２１を構成する接着剤印刷層７，第１のインク印刷層１１は、まとめて被写体３１の表面に付着したままである。また、Ｆ（５−１５）>Ｆ（１５−３１）であるから、第２のインク印刷層１５は、被写体３１の表面に付着せず、保護シート５の粘着性保有面５ａに付着したまま保護シート５とともに除去される。
【００５６】
上述のように、非転写パターン印刷領域２３に存する保護シート５の粘着性が失われた状態となっているから、転写パターン印刷領域２１を被写体３１に向かって押圧する際に誤って非転写パターン印刷領域２３も押圧してしまった場合であっても、被写体３１と保護シート５とが粘着してしまうことはない。このため、保護シート５の剥ぎ取り作業が容易である。
【００５７】
保護シート５を除去した状態を図３Ａおよび図３Ｂに示す。このようにして、転写パターン印刷領域２１を構成する接着剤印刷層７，第１のインク印刷層１１のみを、まとめて被写体３１の表面に転写することができる。
【００５８】
なお、転写印刷シート１においては、転写パターン印刷領域として、接着剤印刷層７，第１のインク印刷層１１のみを備えた転写パターン印刷領域２１を例示したが、転写パターン印刷領域の構成は、これに限定されるものではない。たとえば、第１のインク印刷層１１の上および／または下に、接着剤印刷層，第１のインク印刷層以外の他の層をさらに設けるよう構成することもできる。
【００５９】
つぎに、図４Ａに、この発明の他の実施形態による転写印刷シート４１の平面構成を模式的に示す。図４Ｂは、転写印刷シート４１の断面ＩＶＢ−ＩＶＢを模式的に示す図面である。
【００６０】
転写印刷シート４１の基本的な構成およびバリエーションの可能性は、上述の転写印刷シート１と同様である。ただし、転写印刷シート４１は、さらに、シート剥離防止用粘着領域４３を備えている点で、転写印刷シート１と異なる。
【００６１】
シート剥離防止用粘着領域４３は、剥離シート３の離型性保有面３ａと保護シート５の粘着性保有面５ａとの間であって、転写印刷シート４１の外周近傍（この実施形態においては、図面上の左右１対の外周辺４５の近傍）に設けられ、この領域４３には何も印刷されない。
【００６２】
すなわち、シート剥離防止用粘着領域４３においては、転写パターン印刷領域２１を構成する各層７、１１、および、非転写パターン印刷領域２３を構成する第２のインク印刷層１５、その他の印刷による層がいずれも形成されておらず、剥離シート３の離型性保有面３ａと保護シート５の粘着性保有面５ａとが直接、接しており両者は粘着状態にある。
【００６３】
このため、たとえば、より大きな転写印刷シートを裁断して転写印刷シート４１を得るような場合、裁断部に対応する転写印刷シート４１の外周辺４５近傍において剥離シート３と保護シート５とを粘着状態にしておくことで、剥離シート３と保護シート５とを一体的に裁断することができる。これにより、裁断による剥離シート３と保護シート５とのずれ等が防止でき、きれいな裁断部が得られる。
【００６４】
また、転写印刷シート４１の外周近傍において剥離シート３と保護シート５とを粘着状態にしておくことで、転写印刷シート４１の搬送中など転写操作前に不用意に剥離シート３が剥がれてしまうのを防止することができる。
【００６５】
シート剥離防止用粘着領域４３の幅はとくに限定されるものではないが、好ましくは０．２ｍｍ〜２０ｍｍ、より好ましくは１ｍｍ〜１５ｍｍ、さらに好ましくは２ｍｍ〜１０ｍｍである。シート剥離防止用粘着領域４３の幅が狭すぎると、剥離シート３の剥離防止機能が損なわれる一方、幅が広すぎると、被写体３１に対する転写パターン部分の位置決めをする際、保護シート５が被写体３１にくっついてスムーズな位置決め作業を行うことが困難になるからである。
【００６６】
なお、シート剥離防止用粘着領域４３の幅の上限は、転写印刷シート１における非転写部最大距離Ｓ（図１Ａ参照）を用いて、以下のように表すこともできる。すなわち、シート剥離防止用粘着領域４３の幅はとくに限定されるものではないが、好ましくは０．２ｍｍ〜非転写部最大距離Ｓの５０パーセント、より好ましくは１ｍｍ〜非転写部最大距離Ｓの３５パーセント、さらに好ましくは２ｍｍ〜非転写部最大距離Ｓの２５パーセントである。
【００６７】
転写印刷シート４１においては、転写印刷シート４１の外周（外周辺４５）とシート剥離防止用粘着領域４３との間に、非転写パターン印刷領域２３の第２のインク印刷層１５を有する部分が存置されている。非転写パターン印刷領域２３のうち、この部分を剥離用印刷領域４７という。剥離用印刷領域４７においては、剥離シート３と保護シート５とは粘着状態になっていない。したがって、剥離用印刷領域４７を設けることで、剥離シート３の剥離が容易になる。
【００６８】
剥離用印刷領域４７の寸法はとくに限定されるものではないが、好ましくは０．２ｍｍ〜１０ｍｍ程度、より好ましくは０．５ｍｍ〜５ｍｍ程度である。剥離用印刷領域４７の寸法が小さすぎると剥離シート３の剥離の際に指等が掛からず、逆に大きすぎると裁断による剥離シート３と保護シート５とのずれ等が防止できないからである。
【００６９】
なお、転写印刷シート４１においては、剥離用印刷領域４７を、転写印刷シート４１の外周辺４５全体（全長）に渡って設けているが、必ずしもその必要はない。たとえば、転写印刷シート４１の外周のうち、いくつかの角部にのみ設けるようにしてもよいし、いくつかの辺の中央近傍にのみ設けるようにしてもよい。
【００７０】
もちろん、剥離用印刷領域４７をまったく設けないことも可能である。この場合には、転写印刷シート４１の外周（外周辺４５）に連続してシート剥離防止用粘着領域４３が設けられることになる。このように構成すれば、裁断による剥離シート３と保護シート５とのずれ等をより確実に防止することができる。
【００７１】
さて、転写印刷シート４１においては、シート剥離防止用粘着領域４３を、図面上の左右１対の外周辺４５の近傍に帯状に設けたが、シート剥離防止用粘着領域４３の位置は、これに限定されるものではない。たとえば、シート剥離防止用粘着領域４３を、図面上の左右１対の外周辺４５の一方の近傍にのみ設けてもよい。さらに、図面上の左右１対の外周辺４５および上下１対の外周辺４９のいずれか１以上の外周辺の近傍、または、全ての外周辺の近傍に設けてもよい。
【００７２】
また、シート剥離防止用粘着領域の形状、配置パターンも、とくに限定されるものではない。図５Ａは、この発明のさらに他の実施形態による転写印刷シート５１の平面構成を模式的に示す図面である。図５Ｂは、転写印刷シート５１の断面ＶＢ−ＶＢを模式的に示す図面である。
【００７３】
すなわち、転写印刷シート５１においては、シート剥離防止用粘着領域として、転写印刷シート４１における連続した帯状のシート剥離防止用粘着領域４３ではなく、不連続の点状（図５Ａの例では正方形）のシート剥離防止用粘着領域５３を設けている。その余の構成およびバリエーションの可能性は転写印刷シート４１と同様である。もちろん、シート剥離防止用粘着領域５３の形状は正方形以外にも可能であり、たとえば円形であってもよい。
【００７４】
転写印刷シート５１においては、点状のシート剥離防止用粘着領域５３を図面上の同一方向（縦方向または横方向）にそれぞれ等ピッチで配置しているが、これに限定されるものではない。たとえば、転写印刷シート５１の外周近傍の全域にわたって等ピッチでシート剥離防止用粘着領域５３を設けてもよいし、不等ピッチであってもよい。
【００７５】
転写印刷シート５１においては、複数のシート剥離防止用粘着領域５３を、転写印刷シート５１の外周近傍の全域にわたって設けているが、もちろん、転写印刷シート５１の外周近傍の一部にのみ設けるようにしてもよい。
【００７６】
また、転写印刷シート５１においては、転写印刷シート４１の場合と同様に、剥離用印刷領域５７を設けているが、剥離用印刷領域５７を設けないよう構成することもできる。
【００７７】
つぎに、図６Ａに、この発明のさらに他の実施形態による転写印刷シート６１の平面構成を模式的に示す。図６Ｂは、転写印刷シート６１の断面ＶＩＢ−ＶＩＢを模式的に示す図面である。
【００７８】
転写印刷シート６１の基本的な構成およびバリエーションの可能性は、上述の転写印刷シート１と同様である。ただし、転写印刷シート６１は、さらに、位置決めマーク６３および仮止め用粘着領域６５を備えている点で、転写印刷シート１と異なる。
【００７９】
位置決めマーク６３は、転写操作の際に被写体３１に対する転写パターン印刷領域２１の位置決めの目安とするために、非転写パターン印刷領域２３内に設けられたものである。
【００８０】
したがって、上記位置決めの際、保護シート５が被写体３１にくっつかないことと相まって、たとえば、被写体３１と保護シート５とを接触させながら位置決めマーク６３を目安とすることで、容易に位置決めすることができる。
【００８１】
転写印刷シート６１においては、位置決めマーク６３は、非転写パターン印刷領域２３内において、さらにインクによる印刷により形成したものである。
【００８２】
そして、仮止め用粘着領域６５は、非転写パターン印刷領域２３内の上記位置決めマーク６３の近傍に、何も印刷を行わない領域として存置されたものである。
【００８３】
したがって、仮止め用粘着領域６５においては、保護シート５の粘着性保有面５ａの粘着力は失われていない。このため、たとえば、位置決めマーク６３を目安として被写体３１に対する転写パターン印刷領域２１の位置決めを行い、位置が決まったら仮止め用粘着領域６５において保護シート５を被写体３１に向けて押圧することで、被写体３１に対して保護シート５を仮止めすることができる。このように仮止めすることで、より正確に転写パターン印刷領域２１の位置決めを行うことができる。
【００８４】
このような機能を十分に発揮するために、好ましくは、保護シート５は透明（もしくは半透明）であり、第２のインク印刷層１５のインクは透明（もしくは半透明）であり、位置決めマーク６３のインクは有色透明（もしくは半透明）または不透明である。より好ましくは、保護シート５は無色透明（もしくは無色半透明）であり、第２のインク印刷層１５のインクは有色透明（もしくは有色半透明）であり、位置決めマーク６３のインクは不透明である。
【００８５】
転写印刷シート６１においては、位置決めマーク６３および仮止め用粘着領域６５を、図面上で転写パターン印刷領域２１を挟んで左右対称位置に２組設けているが、位置決めマーク６３および仮止め用粘着領域６５の組数、位置、配置パターンはこれに限定されるものではない。
【００８６】
たとえば、位置決めマーク６３および仮止め用粘着領域６５を、１組のみ設けるようにしてもよい。また、位置決めマーク６３および仮止め用粘着領域６５を、図面上で転写パターン印刷領域２１を挟んで上下対称位置に２組設けたり、上下左右に合計４組設けるようにしてもよい。
【００８７】
また、転写印刷シート６１においては、位置決めマーク６３を一直線状（長方形）とし、と仮止め用粘着領域６５を楕円形とした場合を例示しているが、位置決めマーク６３および仮止め用粘着領域６５の形状はこれに限定されるものではない。たとえば、位置決めマーク６３を十字状や三角形にしたり、仮止め用粘着領域６５を円形や正方形にしたりすることもできる。
【００８８】
また、位置決めマーク６３と仮止め用粘着領域６５とは、必ずしも図６Ａに示すように近接配置されたペアで用いる必要はなく、位置決めマーク６３と仮止め用粘着領域６５とを離して配置したり、位置決めマーク６３の数と仮止め用粘着領域６５の数とが異なるよう構成してもよい。さらに、位置決めマーク６３と仮止め用粘着領域６５とのうち、いずれか一方のみを用いるようにしてもよい。
【００８９】
また、図６Ａの転写印刷シート６１においては、シート剥離防止用粘着領域を設けない場合を例示しているが、もちろんこれに限定されるものではない。たとえば、図６Ａの転写印刷シート６１に、さらに、上述の転写印刷シート４１におけるシート剥離防止用粘着領域４３または転写印刷シート５１におけるシート剥離防止用粘着領域５３を組み合わせて用いることもできる。
【００９０】
また、位置決めマークと仮止め用粘着領域とをペアで用いる場合、その位置関係はとくに限定されるものではない。図７Ａは、この発明のさらに他の実施形態による転写印刷シート７１の平面構成を模式的に示す図面である。図７Ｂは、転写印刷シート７１の断面ＶＩＩＢ−ＶＩＩＢを模式的に示す図面である。
【００９１】
すなわち、転写印刷シート７１においては、位置決めマーク７３と仮止め用粘着領域７５とを、転写印刷シート６１におけるように異なる位置に配置するのではなく、重ねて配置するよう構成している。つまり、仮止め用粘着領域７５内の一部に位置決めマーク７３を形成している。
【００９２】
このように位置決めマーク７３と仮止め用粘着領域７５とを極限まで近づける（すなわち同一位置に重ねて配置する）ことで、位置決めマーク７３を押圧することにより同時に周りの仮止め用粘着領域７５を押圧することができ、さらに正確に位置決め・仮止めをおこなうことができる。転写印刷シート７１のその余の構成およびバリエーションの可能性は転写印刷シート６１と同様である。
【００９３】
つぎに、図８Ａに、この発明のさらに他の実施形態による転写印刷シート８１の平面構成を模式的に示す。図８Ｂは、転写印刷シート８１の断面ＶＩＩＩＢ−ＶＩＩＩＢを模式的に示す図面である。
【００９４】
転写印刷シート８１の基本的な構成およびバリエーションの可能性は、上述の転写印刷シート７１と同様である。ただし、転写印刷シート８１における位置決めマーク８３は、非転写パターン印刷領域２３内において何も印刷を行わない領域として構成されている点で、転写印刷シート７１における位置決めマーク７３と異なる。
【００９５】
そして、仮止め用粘着領域はとくに設けられていない。これは、転写印刷シート８１においては、位置決めマーク８３が、転写印刷シート７１における位置決めマーク７３および仮止め用粘着領域７５双方の機能を果たすからである。
【００９６】
すなわち、転写印刷シート８１においては、位置決めマーク８３のある部分においては、保護シート５の粘着性保有面５ａの粘着力は失われていない。このため、たとえば、位置決めマーク８３を目安として被写体３１に対する転写パターン印刷領域２１の位置決めを行い、位置が決まったら位置決めマーク８３の部分において保護シート５を被写体３１に向けて押圧することで、被写体３１に対して保護シート５を仮止めすることができる。このように仮止めすることで、より正確に転写パターン印刷領域２１の位置決めを行うことができる。
【００９７】
このような機能を十分に発揮するために、好ましくは、保護シート５は透明（もしくは半透明）であり、第２のインク印刷層１５のインクは有色透明（もしくは有色半透明）または不透明である。より好ましくは、保護シート５は無色透明（もしくは無色半透明）であり、第２のインク印刷層１５のインクは有色透明（もしくは有色半透明）である。
【００９８】
位置決めマーク８３の寸法はとくに限定されるものではないが、好ましくは１ｍｍ〜２０ｍｍ、より好ましくは２ｍｍ〜１０ｍｍの円内に収まるよう構成する。位置決めマーク８３は位置決めマークと仮止め用粘着領域との機能を兼ね備えなければならないため、大きすぎると位置決めマークとしての機能が犠牲となり、小さすぎると仮止め用粘着領域としての機能が損なわれるからである。
【００９９】
なお、上記各実施形態における各種印刷工程に用いられる印刷の種類はとくに限定されるものではないが、たとえば、シルク印刷、オフセット印刷、シール印刷、パット印刷、グラビア印刷、レーザー印刷、インクジェット印刷のうちいずれか、またはこれらのうち複数の印刷を組み合わせて用いることができる。
【０１００】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【図面の簡単な説明】
【０１０１】
【図１】図１Ａは、この発明の一実施形態による転写印刷シート１の平面構成を模式的に示す図面である。図１Ｂは、転写印刷シート１の断面ＩＢ−ＩＢを模式的に示す図面である。
【図２】図２Ａ、図２Ｂは、転写印刷シート１の転写操作を説明するための模式的な断面図である。
【図３】図３Ａは、図３Ｂに対応する模式的な平面図である。図３Ｂは、転写印刷シート１の転写操作を説明するための模式的な断面図である。
【図４】図４Ａは、この発明の他の実施形態による転写印刷シート４１の平面構成を模式的に示す図面である。図４Ｂは、転写印刷シート４１の断面ＩＶＢ−ＩＶＢを模式的に示す図面である。
【図５】図５Ａは、この発明のさらに他の実施形態による転写印刷シート５１の平面構成を模式的に示す図面である。図５Ｂは、転写印刷シート５１の断面ＶＢ−ＶＢを模式的に示す図面である。
【図６】図６Ａは、この発明のさらに他の実施形態による転写印刷シート６１の平面構成を模式的に示す図面である。図６Ｂは、転写印刷シート６１の断面ＶＩＢ−ＶＩＢを模式的に示す図面である。
【図７】図７Ａは、この発明のさらに他の実施形態による転写印刷シート７１の平面構成を模式的に示す図面である。図７Ｂは、転写印刷シート７１の断面ＶＩＩＢ−ＶＩＩＢを模式的に示す図面である。
【図８】図８Ａは、この発明のさらに他の実施形態による転写印刷シート８１の平面構成を模式的に示す図面である。図８Ｂは、転写印刷シート８１の断面ＶＩＩＩＢ−ＶＩＩＩＢを模式的に示す図面である。
【図９】図９Ａは、従来の感圧転写式の転写印刷シート９１の一部切欠き斜視図である。図９Ｂは、該転写印刷シート９１の模式断面図である。
【符号の説明】
【０１０２】
１：転写印刷シート
３：剥離シート
３ａ：離型性保有面
５：保護シート
５ａ：粘着性保有面
７：接着剤印刷層
１１：第１のインク印刷層
１５：第２のインク印刷層
１７：印刷層
２１：転写パターン印刷領域
２３：非転写パターン印刷領域
特許出願人  濱田  秀雄
出願人代理人  弁理士  田川  幸一
【図１】
2009028943.tif 000003
【図２】
2009028943.tif 000004
【図３】
2009028943.tif 000005
【図４】
2009028943.tif 000006
【図５】
2009028943.tif 000007
【図６】
2009028943.tif 000008
【図７】
2009028943.tif 000009
【図８】
2009028943.tif 000010
【図９】
2009028943.tif 000011